(57)【要約】      （修正有）【課題】極めて優れた耐熱効果を有し、製品全体の信頼度を高めることができ、その実用性を高めることができるＬＥＤランプの構造を提供する。【解決手段】ベース座１には電極端子１１が設けられ、反射カップ２には対応するベース座１内に設けられ、お互いに結合し、反射カップ２内には凹部２１が形成され、チップ３はそれぞれ反射カップ２の凹部２１内に設置され、別々にワイヤ４によって電極端子１１と接続され、樹脂層５はベース座１内の反射カップ２と、それぞれ対応して電気接続されているチップ３と、ワイヤ４と、電極端子１１とを密封結合し、反射カップ２の底面は樹脂層５外へ露出し、ベース座１両側から伸びている各電極端子１１も樹脂層５外へ露出し、ガラス鏡片６は、チップ３に対応する場所に設置され、ガラス鏡片６内には蛍光粉６１が添加されている。【選択図】図２
0003107099.tif 000002
【実用新案登録請求の範囲】
【請求項１】
ベース座と、反射カップと、チップと、樹脂層と、ガラス鏡片とを備えるＬＥＤランプの構造において、
前記ベース座には電極端子が設けられており、
前記反射カップには対応するベース座内に設けられており、お互いに結合しており、前記反射カップ内には凹部が形成されており、
前記チップはそれぞれ前記反射カップの凹部内に設置されており、別々にワイヤによって電極端子と接続されており、
前記樹脂層はベース座内の反射カップと、それぞれ対応して電気接続されているチップと、ワイヤと、電極端子とを密封結合しており、前記反射カップの底面は前記樹脂層外へ露出しており、前記ベース座両側から伸びている各電極端子も前記樹脂層外へ露出しており、
前記ガラス鏡片は、チップに対応する場所に設置されており、ガラス鏡片内には蛍光粉が添加されており、
これらの構造によって、極めて優れた耐熱効果を提供することができることを特徴とするＬＥＤランプの構造。
【請求項２】
前記ガラス鏡片の周縁はベース座上に設けられていることを特徴とする請求項１に記載のＬＥＤランプの構造。
【考案の詳細な説明】
【技術分野】
【０００１】
本考案はＬＥＤランプの構造に係り、特にチップに対応する場所にガラス鏡片が設置されており、ガラス鏡片内に蛍光粉を添加されている設計により、一般の伝統的な方式（例えばエポキシ樹脂、ＰＣ、ＰＭＭＡ、ＰＥＩ、ＰＣ／ＰＭＭＡ、ＣＯＣによって製造された光学鏡片）とは異なり、極めて優れた耐熱効果を有し、製品全体の信頼度を高めることができ、大型ディスプレイ看板、売り場、展示照明、各方式の広告看板、照明器具、その他類似する物品に適用するＬＥＤランプの構造に関わる。
【背景技術】
【０００２】
図１に示すような公知構造のＬＥＤランプは透光樹脂体内に設置される二本のリードフレームによって構成されており、前記リードフレームの一端には凹部が設けられており、前記凹部にはチップが設けられており、前記チップはワイヤによってもう一方のリードフレームと接続されており、前記凹部には蛍光層が密封されており、蛍光層から有色の光を放出する。上述のＬＥＤランプは有色の光を放出することができるが、前記ＬＥＤランプの密封用に使用されている透光樹脂体とリードフレームの凹部上の蛍光層は耐熱性に優れず、ゆえに実際に使用する上で使用者の要求を満たすものではない。
【考案の開示】
【考案が解決しようとする課題】
【０００３】
本考案の目的は、チップに対応する場所にガラス鏡片が設置されており、ガラス鏡片内に蛍光粉が添加されている設計により、極めて優れた耐熱効果を有し、製品全体の信頼度を高めることができ、その実用性を高めることができるＬＥＤランプの構造を提供することである。
【課題を解決するための手段】
【０００４】
前記課題を解決するために、本考案のＬＥＤランプは、ベース座と、反射カップと、複数のチップと、樹脂層と、ガラス鏡片とによって構成されている。前記ベース座には電極端子が設けられており、前記反射カップには対応するベース座内に設けられており、お互いに結合しており、前記反射カップ内には凹部が形成されており、前記チップはそれぞれ前記反射カップの凹部内に設置されており、別々にワイヤによって電極端子と接続されており、前記樹脂層はベース座内の反射カップと、それぞれ対応して電気接続されているチップと、ワイヤと、電極端子とを密封結合しており、前記反射カップの底面は前記樹脂層外へ露出しており、前記ベース座両側から伸びている各電極端子も前記樹脂層外へ露出しており、前記ガラス鏡片は、チップに対応する場所に設置されており、ガラス鏡片内には蛍光粉が添加されており、これらの構造によって、極めて優れた耐熱効果を提供でき、製品全体の信頼度を高めることができる。
【０００５】
上述の本考案の目的と優れている点と、その他の目的と優れている点を選出した実施例に沿って図と共に詳細に説明する。
【０００６】
当然、本考案における部品や部品の配置などの変化は許容されるものであるが、本説明書においては選出した実施例に沿って図と共に詳細に説明をする。
【考案の効果】
【０００７】
本考案のチップに対応する場所にガラス鏡片が設けられており、ガラス鏡片内には蛍光粉が添加されているという構造により、ガラスの高融点であるという特性を利用してＬＥＤランプは極めて優れた耐熱効果を有することができ、製品全体の信頼度を高め、その実用性を高めることができた。
【考案を実施するための最良の形態】
【０００８】
図２に示すように、本考案のＬＥＤランプはベース座１と、反射カップ２と、複数のチップ３と、樹脂層５と、ガラス鏡片６とによって構成されている。
【０００９】
前記ベース座１上には電極端子１１が設けられている。
【００１０】
前記反射カップ２には対応するベース座１内に設けられており、お互いに結合しており、前記反射カップ２内には凹部２１が形成されており、前記反射カップ２は陶磁器、プラスチック、金属材料によって製造されている。
【００１１】
前記複数のチップ３はそれぞれ前記反射カップ２の凹部２１内に設置されており、別々にワイヤ４によって電極端子１１と接続されている。
【００１２】
前記樹脂層５はベース座１内の反射カップ２と、それぞれ対応して電気接続されているチップ３と、ワイヤ４と、電極端子１１とを密封結合しており、前記反射カップ２の底面は前記樹脂層５外へ露出しており、前記ベース座１両側から伸びている各電極端子１１も前記樹脂層５外へ露出している。
【００１３】
前記ガラス鏡片６は、チップ３に対応する場所に設置されており、前記ガラス鏡片６の周縁はベース座１上に設けられており、ガラス鏡片６内には蛍光粉６１が添加されている。
【００１４】
上述の構造によってＬＥＤランプが構成されており、図２に示すように、本考案の特徴はチップ３に対応する場所にガラス鏡片６が設けられており、ガラス鏡片６内には蛍光粉６１が添加されており、ガラスの高融点であるという特性を利用して極めて優れた耐熱効果を提供することができ、本考案は極めて優れた耐熱効果を有することができ、製品全体の信頼度を高め、その実用性を高めることができる点である。
【００１５】
前述の詳細な説明により、本技術を熟知するものは確実に前述の目的を達成することができ、確実に特許法の規定に符合するものであり、申請を行う。
【００１６】
上記内容は本考案の比較的好適な実施例を示したものであり、本考案の実施範囲を制限するものではなく、ゆえに本考案の申請範囲、および説明書の内容の簡単な同等効果である変化と修飾も本考案の範囲に含まれる。
【図面の簡単な説明】
【００１７】
【図１】公知構造の使用状態を示す図である。
【図２】本考案の実施例における使用状態を示す断面図である。
【符号の説明】
【００１８】
１        ベース座
１１      電極端子
２        反射カップ
２１      凹部
３        チップ
４        ワイヤ
５        樹脂層
６        ガラス鏡片
６１      蛍光粉
７        樹脂体
７１      リードフレーム
７１１    凹部
７２      リードフレーム
７３      チップ
７４      ワイヤ
８        蛍光層
【図１】
0003107099.tif 000003
【図２】
0003107099.tif 000004